(57)【特許請求の範囲】
【請求項１】
ヒンジ部で相互に連結された２個のボート状のケース半体を備え、２個のケース半体をヒンジ部周りに相互に反対方向に回転させて形成した略閉囲の筒形中空部の両端部に、それぞれ、ヘッドホーンのＬｃｈイヤホーン及びＲｃｈイヤホーンを収納するようにした両開き型ヘッドホーン・ケースであって、
２個のケース半体は、それぞれ、両端部から内方に向かった位置に、ヒンジ部に直交し、かつケース半体の内壁に直立して設けられた２枚の半円環状の補強リブと、両端部のヒンジ部側縁部に設けられた切り欠き部と、ヒンジ部の反対側縁部に設けられ、ケース半体を相互に掛止する掛止部とを備え、
ケース半体、補強リブ及び切り欠き部は、それぞれ、ヒンジ部及びヒンジ部に直交する線をそれぞれ中心線にして対称に形成され、
２個のケース半体をヒンジ部周りに相互に反対方向に回転させて筒形中空部を形成したとき、補強リブは中央に貫通孔を形成し、切り欠き部は開口部を形成することを特徴とするヘッドホーン・ケース。
【請求項２】
補強リブの中央に形成された貫通孔は、イヤホーンのイヤピースとハウジングとの間の括れ部の直径より大きく、イヤピースの直径より小さく、
開口部は、イヤホーンのブッシング部を外側に露出させることを特徴とする請求項１に記載のヘッドホーン・ケース。
【請求項３】
補強リブ、切り欠き部、及び掛止部をそれぞれ有し、ヒンジ部で連結された２個のケース半体が、プラスチックの一体成形品であることを特徴とする請求項１又は２に記載のヘッドホーン・ケース。
【発明の詳細な説明】
【０００１】
【発明の属する技術分野】
本発明は、ヘッドホーン・ケースに関し、更に詳細には、使い勝手が良く、経済的に形成できるヘッドホーン・ケースに関するものである。
【０００２】
【従来の技術】
携帯型ラジオとか携帯型ディスク再生装置とかなどの音声再生用ポータブル機器には、一般的に、左耳用及び右耳用、又はＬｃｈ用及びＲｃｈ用のインナーイヤータイプ・イヤホーンを有するヘッドホーンが、音声聴取手段として取り付けてある。
ところで、インナーイヤータイプ・ヘッドホーンは、耳の中にいれるイヤホーンが小さく、またイヤホーンとポータブル機器の出力端子とを結ぶコードが、長く、しかも細い。そのために、イヤホーンがコードに絡み易かったり、またコードが他の品物に引っ掛かり易かったりして、裸のままでは持ち運びに不便であるものの、従来、コード巻き取り式収納ケース以外には、適当な収納ケースは見当たらなかった。
【０００３】
ここで、図１１を参照して、コード巻き取り式収納ケースの構成を説明する。図１１はコード巻き取り式収納ケースの構成を示す斜視図である。
従来の巻き取り式収納ケース１０は、図１１に示すように、コード巻き取りリール１２と、上ケース１４と、下ケース１６とから構成され、コード巻き取りリール１２にヘッドホーンのコードを巻き取り、２個のイヤホーンをコード巻き取りリール１２上に置き、上ケース１４と下ケース１６でコード巻き取りリール１２を閉囲する構成になっている。
【０００４】
【発明が解決しようとする課題】
しかし、従来のコード巻き取り式収納ケースは、上述のように、部品の数が多く、構造が複雑であるために、製造コストが嵩み、単価が高いという問題があった。また、コードを巻き取ることが厄介で、注意深く巻き取ることが要求されるので、使い勝手が悪いという問題があった。特に、ヘッドホーンの使用者が子供とか不器用な人であれば、コードを円滑に巻き取ることが難しかった。
また、コード巻き取り式収納ケースは、小型化が図られているものの、外形が円筒形であるために、ポータブル機器収納用のポーチにポータブル機器と一緒にコード巻き取り式収納ケースを収納することが難しい。従って、ポータブル機器とは別に持ち運びすることが必要であることから、持ち運びが厄介であるという問題があった。
【０００５】
そこで、本発明の目的は、ヘッドホーンの収納が容易で、使い勝手が良く、しかも経済的に形成できるヘッドホーン・ケースを提供することである。
【０００６】
【課題を解決するための手段】
上記目的を達成するために、本発明に係るヘッドホーン・ケースは、ヒンジ部で相互に連結された２個のボート状のケース半体を備え、２個のケース半体をヒンジ部周りに相互に反対方向に回転させて形成した略閉囲の筒形中空部の両端部に、それぞれ、ヘッドホーンのＬｃｈイヤホーン及びＲｃｈイヤホーンを収納するようにした両開き型ヘッドホーン・ケースであって、
２個のケース半体は、それぞれ、両端部から内方に向かった位置に、ヒンジ部に直交し、かつケース半体の内壁に直立して設けられた２枚の半円環状の補強リブと、両端部のヒンジ部側縁部に設けられた切り欠き部と、ヒンジ部の反対側縁部に設けられ、ケース半体を相互に掛止する掛止部とを備え、
ケース半体、補強リブ及び切り欠き部は、それぞれ、ヒンジ部及びヒンジ部に直交する線をそれぞれ中心線にして対称に形成され、
２個のケース半体をヒンジ部周りに相互に反対方向に回転させて筒形中空部を形成したとき、補強リブは中央に貫通孔を形成し、切り欠き部は開口部を形成することを特徴としている。
【０００７】
本発明に係るヘッドホーン・ケースは筒状であるから、ポータブル機器収納用のポーチにポータブル機器と一緒に収納することができる。また、従来のようにコードを巻き取るのではなく、イヤホーンのみを収納するようになっているので、収納が容易で使い勝手が良い。
筒状の中空部を形成したヘッドホーンの横断面形状には、制約はなく、例えば円形、楕円形、多角形等の形状を取り得る。
また、本発明に係るヘッドホーン・ケースでは、ヘッドホーンの収納態様には、制約はないが、好ましくは、Ｌｃｈイヤホーン及びＲｃｈイヤホーンの括れ部をそれぞれ補強リブ上に置き、補強リブの内側にイヤピースを収納し、ブッシング部を開口部から露出させるようにしてヘッドホーンを収納する。
よって、好適には、補強リブの中央に形成された貫通孔は、イヤホーンのイヤピースとハウジングとの間の括れ部の直径より大きく、イヤピースの直径より小さく、開口部は、イヤホーンのブッシング部を外側に露出させるようにする。
【０００８】
また、好適には、補強リブ、切り欠き部、及び掛止部をそれぞれ有し、ヒンジ部で連結された２個のケース半体が、プラスチックの一体成形品である。
これにより、極めて低い製作コストでヘッドホーン・ケースを製作することができる。
【０００９】
【発明の実施の形態】
以下に、実施形態例を挙げ、添付図面を参照して、本発明の実施の形態を具体的かつ詳細に説明する。
実施形態例
本実施形態例は、本発明に係るヘッドホーン・ケースの実施形態の一例である。図１は本実施形態例のヘッドホーン・ケースの斜視図、図２は本実施形態例のヘッドホーン・ケースの外面の平面図、図３はヘッドホーン・ケースの内面の平面図、図４は図３の矢視Ｉ−Ｉの側面図、図５は図３の矢視II−IIの断面図、図６は図３の矢視III −III の長手方向断面図、図７は閉じた状態のヘッドホーン・ケースの斜視図、図８は閉じた状態のヘッドホーン・ケースの正面図、図９（ａ）は図８の矢視IV−IVの側面図、図９（ｂ）は図８の矢視Ｖ−Ｖの断面図、及び図１０はヘッドホーンをヘッドホーン・ケースに収納した状態を示す斜視図である。
本実施形態例のヘッドホーン・ケース２０は、図１に示すように、ヒンジ部２２で相互に連結された２個のボート状のケース半体２４Ａ、Ｂで構成され、２個のケース半体２４Ａ、Ｂをヒンジ部２２周りに相互に反対方向に回転させて形成した略閉囲の円筒形中空部の両端部に、それぞれ、ヘッドホーンのＬｃｈイヤホーン及びＲｃｈイヤホーンを収納するようにした両開き型ヘッドホーン・ケースである。
【００１０】
図１中、Ｅは耳の中に入れるイヤピース、ＨはイヤピースＥを保持するハウジング、ＫはイヤピースＥとハウジングＨとの間の括れ部、及びＢはブッシング部であり、ＲはＲｃｈ用イヤホーン、及びＬはＬｃｈ用イヤホーンである。
図１では、イヤホーンＬはヘッドホーン・ケース２０の左側に既に収納されており、また、イヤホーンＲはヘッドホーン・ケース２０の右側に収納されることになっている。
【００１１】
ヒンジ部２２は、図３及び図４に示すように、長手方向にＶ溝２３を形成した薄肉部として形成され、Ｖ溝２３に沿って自在に屈曲するようになっている。
ケース半体２４Ａ、Ｂは、後述の突起部３２を除いて、それぞれ、図２及び図３に示すように、長手方向の中心を直交して通る中心線に対して左右対称な形状に形成されている。
ケース半体２４Ａ、Ｂの内部の深さＤ（図５参照）は、それぞれ、ヘッドホーンのイヤピースＥ（図１参照）の径Ｄ1 及びハウジングＨの径Ｄ2 （図１参照）の大きい方の寸法の１／２より多少深くなっていて、本実施形態例では、例えば６ｍｍである。
【００１２】
ケース半体２４Ａ、Ｂは、それぞれ、左右に離隔して、両端部から内方に向かった位置に、即ち本実施形態例では、ヒンジ部２２の両端部近傍に、ケース半体２４Ａ、Ｂの補強用として、２枚の補強リブ２６を備えている。
補強リブ２６は、図５に示すように、半円環状の板状体として構成され、図６に示すように、ヒンジ部２２に直交し、かつケース半体２４の内壁から直立している。
【００１３】
２個のケース半体２４Ａ、Ｂをヒンジ部２２周りに相互に反対方向に回転させて、図９（ｂ）に示すように、内部に円筒形中空部を形成したとき、ケース半体２４Ａの補強リブ２６とケース半体２４Ｂの補強リブ２６とは、中央に貫通孔２７を形成する。
補強リブ２６の中央に形成された貫通孔２７が、イヤホーンの括れ部Ｋの直径より大きく、イヤピースＥの直径Ｄ1 より小さくなるように、補強リブ２６は、それぞれ、形成されている。
イヤピースＥを補強リブ２６の内側に入れ、イヤピースＥとハウジングＨとの括れ部Ｋを補強リブ２６上に載せることにより、イヤピースＥがヘッドホーン・ケース２０から抜けるようなことなく、ヘッドホーンをヘッドホーン・ケース２０に収納することができる。
【００１４】
ケース半体２４Ａ、Ｂは、図２から図４に示すように、両端部のヒンジ部２２側縁部に切り欠き部２８を有する。
切り欠き部２８は、２個のケース半体２４Ａ、Ｂをヒンジ部２２周りに相互に反対方向に回転させて内部に円筒形中空部を形成したとき、図９（ａ）に示すように、開口部３０を作るような形状になっている。開口部３０は、ヘッドホーン・ケース２０にそれぞれ収納したイヤホーンＲ、Ｌのブッシング部Ｂを外側に露出させるために形成されている。
本実施形態例では、ケース半体２４Ａ、Ｂの２個の切り欠き部２８により、図２に示すように、挟角６０°の正三角形状の切り欠きが形成される。
【００１５】
更に、ケース半体２４Ａ、Ｂは、図２から図３に示すように、ヒンジ部２２の中間点を中心にして点対称的な配置で、図４に示すように、外方に突起する突起部３２Ａ、Ｂをヒンジ部２２とは反対側の長手方向縁部にそれぞれ備えている。突起部３２Ａ、Ｂの中央側端部には、係止部３４Ａ、Ｂが形成され、突起部３２Ａの係止部３４Ａは、突起部３２Ｂの係止部３４Ｂと相互に係合し、ケース半体２４Ａ、Ｂを相互に掛止できる形状になっている。
【００１６】
ケース半体２４Ａ、Ｂ、補強リブ２６及び切り欠き部２８は、それぞれ、ヒンジ部２２及びヒンジ部２２に直交する線をそれぞれ中心線にして対称に形成されている。
また、補強リブ２６、切り欠き部２８、突起部３２、及び係止部３４Ａ、Ｂを含めて、ヒンジ部２２で連結された２個のケース半体２４Ａ、Ｂは、プラスチックの一体成形品として成形されている。
本実施形態例のヘッドホーン・ケース２０では、ケース半体２４Ａ、Ｂの長手方向の長さＬ（図２参照）は、約３１ｍｍ、幅Ｗ（図２参照）は約１７ｍｍ、高さＨ（図４参照）は約８ｍｍである。
【００１７】
以上の構成により、ヒンジ部２２を中心としてケース半体２４Ａ、Ｂをそれぞれ相互に反対方向に回転させ、突起部３２Ａ、Ｂの係止部３４Ａ、Ｂを相互に係合させることにより、図７から図９に示すように、両端部に開口部３０を有するヘッドホーン・ケース２０として構成することができる。
【００１８】
ヘッドホーン・ケース２０にヘッドホーンを収納する際には、先ず、ヘッドホーン・ケース２０を開放し、ケース半体２４Ａ、Ｂのいずれか、例えばケース半体２４Ａの補強リブ２６より内側にイヤホーンＲ、ＬのイヤピースＥをそれぞれ入れ、括れ部Ｋを補強リブ２６上に載せ、イヤホーンＲ、Ｌのブッシング部Ｂを開口部３０から外側に露出させる。
次いで、ヒンジ部２２の回りにケース半体２４Ｂを回転させ、係止部３４Ｂをケース半体２４Ａの係止部３４Ａに係合させて、ケース半体２４Ａ、Ｂを掛止することにより、図１０に示すように、ヘッドホーンを収納することができる。
【００１９】
本実施形態例では、ヘッドホーン・ケース２０が直径約１６ｍｍの円筒形に形成されているので、ポータブル機器収納用のポーチにポータブル機器と一緒に収納することができる。また、従来のようにコードを巻き取るのではなく、イヤホーンのみを収納するようになっているので、使い勝手が良い。
また、本実施形態例では、イヤホーンＲ、Ｌのブッシング部Ｂを開口部３０から外側に露出させる構造にすることにより、ヘッドホーン・ケース２０をコンパクトにし、小型化している。
【００２０】
通常、インナータイプ・ヘッドホーンは、図１に示すように、コードの途中で、ＲｃｈイヤホーンＲとＬｃｈイヤホーンＬとが分岐しているので、そのまま、カバンの中に入れたりすると、コードが絡んでしまう。本実施形態例では、イヤホーンＬ、Ｒをそれぞれ別個に収納するので、コードが絡んでしまうことが防げる。
また、切り欠き部２８をケース半体２４Ａ、Ｂの双方に対称的に設けることにより、イヤホーンＲ、Ｌを円滑に収納することができ、かつリブ２６で括れ部Ｋを保持することにより、ヘッドホーン・ケース２０を閉じたときには、イヤホーンＲ、Ｌが抜け落ちることはない。
【００２１】
【発明の効果】
本発明によれば、ヘッドホーン・ケースを筒状に形成しているので、ポータブル機器収納用のポーチにポータブル機器と一緒に収納することができる。補強リブより内側にイヤホーンのイヤピースを入れ、括れ部を補強リブ上に載せているので、イヤホーンがヘッドホーン・ケースから脱落するようなことはない。また、イヤホーンのブッシング部を開口部から外側に露出させることにより、ヘッドホーン・ケースを小型化している。このような収納態様でヘッドホーンを収納することにより、コードが絡むようなことは生じない。
また、従来のようにコードを巻き取るのではなく、イヤホーンのみを収納するようになっているので、使い勝手が良い。
更には、本発明に係るヘッドホーン・ケースは一体成形品としてプラスチックで形成できるので、経済的である。
【図面の簡単な説明】
【図１】実施形態例のヘッドホーン・ケースの斜視図である。
【図２】実施形態例のヘッドホーン・ケースの外面の平面図である。
【図３】ヘッドホーン・ケースの内面の平面図である。
【図４】図３の矢視Ｉ−Ｉの側面図である。
【図５】図３の矢視II−IIの断面図である。
【図６】図３の矢視III −III の断面図である。
【図７】閉じた状態のヘッドホーン・ケースの斜視図である。
【図８】閉じた状態のヘッドホーン・ケースの正面図である。
【図９】図９（ａ）は図８の矢視IV−IVの側面図、及び図９（ｂ）は図８の矢視Ｖ−Ｖの断面図である。
【図１０】ヘッドホーンをヘッドホーン・ケースに収納した状態を示す斜視図である。
【図１１】コード巻き取り式収納ケースの構成を示す斜視図である。
【符号の説明】
１０……従来の巻き取り式収納ケース、１２……コード巻き取りリール、１４……上ケース、１６……下ケース、２０……実施形態例のヘッドホーン・ケース、２２……ヒンジ部、２３……Ｖ溝、２４……ケース半体、２６……補強リブ、２７……貫通孔、２８……切り欠き部、３０……開口部、３２……突起部、３４……係止部。
【図１】
0004253930.tif 000002
【図２】
0004253930.tif 000003
【図３】
0004253930.tif 000004
【図４】
0004253930.tif 000005
【図５】
0004253930.tif 000006
【図６】
0004253930.tif 000007
【図７】
0004253930.tif 000008
【図８】
0004253930.tif 000009
【図９】
0004253930.tif 000010
【図１０】
0004253930.tif 000011
【図１１】
0004253930.tif 000012